(57)【特許請求の範囲】
【請求項１】
背もたれを備える背フレームの前端下部を、脚体上部の支基に枢着するとともに、該支基と背フレームとの間にガススプリングを設け、このガススプリングにおける背フレーム側に突設されたバルブ操作部を押動することにより、ガススプリングを作動させて前記背もたれを後傾するようにした椅子のガススプリング操作装置において、
前記背フレームに、適所にほぼクランク状の折曲部を有するとともに、一端に上下方向に回動操作可能な操作レバーを備え、かつ中間部に、前記バルブ操作部を押圧可能な押圧片が固着された左右方向を向く操作ロッドを、回動自在に設け、かつ前記バルブ操作部の押動時において、前記折曲部における操作ロッドと平行な係止軸部が係脱可能に嵌合する保持部を有する保持部材を、前記背フレームの適所に設けたことを特徴とする椅子のガススプリング操作装置。
【請求項２】
保持部材における保持部を、下端の開口部の寸法が係止軸部の外径よりもやや小さい側面視ほぼＵ字形とし、前記係止軸部の上向回動時において、前記開口部を弾性変形させて拡開することにより、係止軸部を保持部内に保持しうるようにした請求項１記載の椅子のガススプリング操作装置。
【請求項３】
保持部材における操作ロッドの折曲部の下面と対向する基片の上面に、操作レバーの非操作時に折曲部の下端が当接することにより、係止軸部が過度に下向きに回動するのを阻止するストッパ片を設けてなる請求項１または２記載の椅子のガススプリング操作装置。
【請求項４】
クランク状の折曲部を、操作ロッドの側端部に設けてなる請求項１〜３のいずれかに記載の椅子のガススプリング操作装置。
【請求項５】
クランク状の折曲部を上向きに付勢する付勢手段を設けた請求項１〜４のいずれかに記載の椅子のガススプリング操作装置。
【発明の詳細な説明】
【０００１】
【発明の属する技術分野】
本発明は、椅子の背もたれを後方に傾動させるガススプリングの操作装置に関する。
【０００２】
【従来の技術】
椅子の背もたれを後方に傾動させる手段として、ガススプリングを用いたリクライニング椅子は公知である。
この椅子は、脚柱の上端に設けた支基と背フレームの下端部との間に、ガススプリングの両端を枢着し、背フレーム側に設けたバルブ操作部を押動することにより、ガススプリングを伸縮させて、背もたれを後傾させるようになっている。
【０００３】
上記ガスプリングのバルブ操作部を押動する従来の操作装置は、バルブ操作部を押圧する押圧片と操作レバーとをワイヤにより連係し、このワイヤによりレバーを回動させて、バルブ操作部を押動するようになっているのが殆どである。
【０００４】
【発明が解決しようとする課題】
上述のようなワイヤを備える従来の操作装置では、操作レバーに適度の遊びを持たせるためのワイヤの長さ調整が面倒であるとともに、長期間の使用によりワイヤが伸び、たるみが生じると、遊びが大きくなって、バルブ操作部の押圧動作が緩慢となることがある。
【０００５】
また、バルブ操作部を押圧状態に保持させるための保持機構が複雑となり、部品点数や組付工数が増えるなどしてコスト高となる。
【０００６】
本発明は、上記問題点に鑑みてなされたもので、ワイヤに代わる操作手段を用いることにより、面倒な調整作業を不要とし、長期間に亘って確実な操作性が得られるとともに、簡単な保持手段によりバルブ操作部を押圧状態に保持しうるようにした、椅子のガススプリング操作装置を提供することを目的としている。
【０００７】
【課題を解決するための手段】
本発明によると、上記課題は、次のようにして解決される。
（１）背もたれを備える背フレームの前端下部を、脚体上部の支基に枢着するとともに、該支基と背フレームとの間にガススプリングを設け、このガススプリングにおける背フレーム側に突設されたバルブ操作部を押動することにより、ガススプリングを作動させて前記背もたれを後傾するようにした椅子のガススプリング操作装置において、前記背フレームに、適所にほぼクランク状の折曲部を有するとともに、一端に上下方向に回動操作可能な操作レバーを備え、かつ中間部に、前記バルブ操作部を押圧可能な押圧片が固着された左右方向を向く操作ロッドを、回動自在に設け、かつ前記バルブ操作部の押動時において、前記折曲部における操作ロッドと平行な係止軸部が係脱可能に嵌合する保持部を有する保持部材を、前記背フレームの適所に設ける。
【０００８】
（２）上記(１)項において、保持部材における保持部を、下端の開口部の寸法が係止軸部の外径よりもやや小さい側面視ほぼＵ字形とし、前記係止軸部の上向回動時において、前記開口部を弾性変形させて拡開することにより、係止軸部を保持部内に保持しうるようにする。
【０００９】
（３）上記(１)または(２)項において、保持部材における操作ロッドの折曲部の下面と対向する基片の上面に、操作レバーの非操作時に折曲部の下端が当接することにより、係止軸部が過度に下向きに回動するのを阻止するストッパ片を設ける。
【００１０】
（４）上記(１)〜(３)項のいずれかにおいて、クランク状の折曲部を、操作ロッドの側端部に設ける。
【００１１】
（５）上記(１)〜(４)項のいずれかにおいて、クランク状の折曲部を上向きに付勢する付勢手段を設ける。
【００１２】
【発明の実施の形態】
以下、本発明の実施形態を、図面に基づいて説明する。
図１は、本発明を適用したリクライニング椅子の側面図で、脚体(１)、座体(２)、背フレーム(３)、及び背もたれ(４)を主要部として構成されている。
【００１３】
脚体(１)は、放射状の５本の脚(５)と、その中心に立設された脚柱(６)と、この脚柱(６)の上端に回転自在に取付けられた前後方向に長い支基(７)とよりなっている。
【００１４】
座体(２)は、方形の台枠(８)と、その上面に載設されたクッション(９)とからなり、台枠(８)の前後の円形断面をなす横杆(10)(10)は、それぞれ支基(７)の前端の凹孔(11)及び背フレーム(３)における後記する軸受金具(16)(16)に枢支されている。
【００１５】
背フレーム(３)は、図２及び図３に示すように、前向Ｌ字状の左右１対の側杆(12)(12)における上端部と後端部とを、板状の横杆(13)(14)により、かつ前端部を、左右方向を向くパイプ状の支持杆(15)により、それぞれ連結して構成され、両側杆(12)の前端部の上向き膨出部の上面には、下向きＵ字形の軸受金具(16)が取付けられている。
【００１６】
上記支持杆(15)の左右両端は、図１に示すように、支基(７)における脚杆(６)のやや前方に形成されたＵ字状の凹孔(17)により枢支されている。
【００１７】
側杆(12)の後端部同士を連結している横杆(14)の下端には、円弧状の左右１対の支持板(18)(18)が連設され、それらの前端部に対応する左右の側杆(12)には、内端に後傾状の取付板(19)を有する下向きコ字状の取付金具(20)が、取付板(19)が支持板(18)の前端部上面と当接するように、上方より嵌合して固着されている。
【００１８】
上記背もたれ(４)は、側杆(12)の上端部の横杆(13)の前面に、上下方向の中間部の後面が枢着され、かつ左右の下端部を両側杆(12)に掛止された背シェル(21)の前面に、背当てクッション材（図示略）を取付けて構成されている。
【００１９】
図２〜図４に示すように（支基等は図示略）、背フレーム(３)の左右の支持板(18)間において、ほぼ外向コ字状の横杆(14)の中央部下面には、正面視下向コ字状をなすブラケット(22)の上片(22a)が、横杆(14)の後面側よりボルト(23)により固着されている。
【００２０】
ブラケット(22)の左右１対の前向片(22b)(22b)間には、ガススプリング(24)の上端に取付けた平面視後向コ字状の連結金具(25)が、それと両前向片(22b)との軸孔に挿通した左右方向を向くピン(26)により枢着されている。
ガススプリング(24)の下端は、支基(７)の後端に枢着されている。
【００２１】
(27)は、ガススプリング(24)の操作装置で、左右方向を向き、かつ左端部に前向きクランク状の折曲部(28a)を有する操作ロッド(28)と、その右端に固着された前方を向く操作レバー(29)と、一端（前端）が折曲部(28a)の下面を受支し、他端（後端）が横杆(14)の下端に係止された付勢手段としてのねじりコイルばね(30)と、このねじりコイルばね(30)を保持する保持金具(31)と、左方の取付金具(20)の取付板(19)の前面に、上記保持金具(31)と共にねじ(32)止めされた保持部材(33)と、操作ロッド(28)の左端部寄りに、斜め後下方を向いて固着された平面視後向コ字状の押圧片(34)とを備え、操作ロッド(28)の左端部は、上記ブラケット(22)における両前向片(22b)の前端部に形成された後向Ｕ字状の保持溝(35)により回動自在に支持されている。
【００２２】
操作ロッド(28)の中間部は、図５の断面図にも示すように、保持プレート(36)における側面視斜め後下方を向くＵ字状の保持部(36a)を操作ロッド(28)の前上方に被嵌し、これを、右方の取付板(19)の前面に下部プレート(37)を介してねじ(32)止めすることにより、回動可能に保持されている。
操作ロッド(28)の折曲部(28a)及び操作レバー(29)は、ねじりコイルばね(30)により常時上向きに付勢されている。
【００２３】
上記保持部材(33)は、図６に拡大して示すように、取付板(19)に固定される、上記ねじ(32)の挿入孔(38)を有するＬ字状の基片(33a)と、その前端縁に立設され、上端部が側面視下向Ｕ字状に折曲された保持部(33b)と、基片(33a)の右端縁に立設され、後端上部に、折曲部(28a)の基部上面と当接可能な押え片(33c)を後向きに突設してなるガイド片(33d)と、ガイド片(33d)の側方の基板(33a)上に前傾状に突設され、操作ロッド(28)の折曲部(28a)の下面が当接可能なストッパ片(33e)とを備え、合成樹脂により一体成形されている。(39)は、補強用のリブである。
【００２４】
上記保持部(33b)の下端の開口部の寸法は、操作ロッド(28)の外径よりも若干小さく、折曲部(28a)の係止軸部(28b)が上向きに回動された際に、保持部(33b)の遊端部が前向きに弾性変形させられて開口部が拡開することにより、折曲部(28a)の係止軸部(28b)が保持部(33b)内に嵌合して保持されるようになっている。また、ストッパ片(33e)の突出寸法は、折曲部(28a)が保持部(33b)の開口部に当接するまで、操作レバー(29)に適度の遊びを有するように設定されている。
【００２５】
上記押圧片(34)の前面は、図４に示すように、ガススプリング(24)の上端に出没可能に突出しているバルブ操作部(40)に当接し、これを押圧しうるようになっている。
図７及び図８は、上記操作装置(27)の非操作時と操作時の作用をそれぞれ示している。
【００２６】
図７に示すように、操作レバー(29)を上向きに回動操作しないときには、操作ロッド(28)の折曲部(28a)はねじりコイルばね(30)の力により上向きに付勢され、係止軸部(28b)は、保持部材(33)の保持部(33b)の開口部と当接している。
【００２７】
この状態では、操作ロッド(28)に固着された押圧片(34)によるバルブ操作部(40)の押動はなく、ガススプリング(24)は非作動状態となって、背フレーム(３)の後傾が阻止される。
【００２８】
操作レバー(29)を上向きに回動操作すると、図８に示すように、操作ロッド(28)の折曲部(28a)も上向きに回動することにより、その係止軸部(28b)が保持部材(33)の保持部(33b)の開口部を拡開し、内部に嵌合して保持される。
【００２９】
これにより、バルブ操作部(40)は押圧片(34)により押圧され、その状態に保持される。従って、ガススプリング(24)が作動し、内部のガス圧に抗して、背フレーム(３)を自由に後傾させることができる。
【００３０】
ガススプリング(24)の作動を停止させる際は、操作レバー(29)を強く下向きにに回動させ、折曲部(28a)の係止軸部(28b)を保持部(33b)より離脱させればよい。
この際、折曲部(28a)は、ねじりコイルばね(30)により上向きに付勢されているため、係止軸部(28b)が保持部(33b)より離脱する際の衝撃が緩和され、異音の発生するのが防止される。
【００３１】
以上説明したように、上記実施形態においては、ガススプリング(24)のバルブ操作部(40)を、操作ロッド(28)に固着された押圧片(34)により直接押動しうるようにしてあるため、従来のワイヤなどのように、たるみがなく、長期間に亘ってバルブ操作部(40)を確実に押動操作することができる。
【００３２】
また、操作ロッド(28)にクランク状の折曲部(28a)を設け、その係止軸部(28b)を保持部材(33)の下向Ｕ字状の保持部(33b)内に弾性的に嵌合させるだけの簡単な機構で、バルブ操作部(40)を押圧状態に保持することができる。
【００３３】
さらに、ねじりコイルばね(30)により、操作ロッド(28)の係止軸部(28b)を上向きに付勢しているため、保持部材(33)における保持部(33b)の保持力を小さくすることができ、その結果、係止軸部(28b)の保持部(33b)内への係脱が軽快となり、かつ衝撃音の発生を抑えることができる。しかも、操作レバー(29)が上下方向にがた付くこともない。
【００３４】
なお、上記実施形態では、クランク状の折曲部(28a)を、操作ロッド(28)の左端部に設けてあるが、操作ロッド(28)の中間部、例えば操作レバー(29)と押圧片(34)との間をクランク状に折曲してその部分に設けてもよい。
ねじりコイルばね(30)を省略して実施することもある。
【００３５】
【発明の効果】
請求項１記載の発明によれば、ガススプリングのバルブ操作部は、操作レバーを上向きに回動することにより、操作ロッドに固着した押圧片により確実に押動操作される。
また、操作ロッドにクランク状の折曲部を設け、その係止軸部を保持部材の保持部に嵌合させるだけの簡単な機構で、バルブ操作部を押圧状態に保持することができる。
【００３６】
請求項２記載の発明によれば、操作レバーを若干強く上向きに回動操作するだけで、操作ロッドの係止軸部が下向きＵ字状の保持部内に嵌合して弾性的に保持される。
【００３７】
請求項３記載の発明によれば、操作レバーを適度な遊びをもって回動操作することができ、操作性が向上する。
【００３８】
請求項４記載の発明によれば、折曲部がガススプリングの取付部より離間し、それと干渉する恐れはなく、かつガススプリングの取付位置や背フレームの設計の自由度が増す。
【００３９】
請求項５記載の発明によれば、操作ロッドの係止軸部が保持部より離脱する際の衝撃が緩和されるとともに、保持部の保持力を小さくしうるので、操作ロッドの操作が軽快となり、異音の発生を抑えることができる。
【図面の簡単な説明】
【図１】本発明を適用したリクライニング椅子の側面図である。
【図２】本発明の操作装置とそれが装着される背フレームの分解斜視図である。
【図３】同じく、操作装置取付時の背フレームの平面図である。
【図４】図３のIV−IV線の縦断側面図である。
【図５】同じく、図３のＶ−Ｖ線の縦断側面図である。
【図６】保持部材の拡大斜視図である。
【図７】図３のVII−VII線の縦断側面図で、操作レバー非操作時の作用を示す説明図である。
【図８】同じく、操作レバー操作時の作用を示す図７と同部位の縦断側面図である。
【符号の説明】
(１)脚体
(２)座体
(３)背フレーム
(４)背もたれ
(５)脚
(６)脚柱
(７)支柱
(８)台枠
(９)クッション
(10)横杆
(11)凹孔
(12)側杆
(13)(14)横杆
(15)支持杆
(16)軸受金具
(17)凹孔
(18)支持板
(19)取付板
(20)取付金具
(21)背シェル
(22)ブラケット
(22a)上片
(22b)前向片
(23)ボルト
(24)ガススプリング
(25)連結金具
(26)ピン
(27)操作装置
(28)操作ロッド
(28a)折曲部
(28b)係止軸部
(29)操作レバー
(30)ねじりコイルばね（付勢手段）
(31)保持金具
(32)ねじ
(33)保持部材
(33a)基片
(33b)保持部
(33c)押え片
(33d)ガイド片
(33e)ストッパ片
(34)押圧片
(35)保持溝
(36)保持プレート
(36a)保持部
(37)下部プレート
(38)挿入孔
(39)リブ
(40)バルブ操作部
【図１】
0003757332.tif 000002
【図２】
0003757332.tif 000003
【図３】
0003757332.tif 000004
【図４】
0003757332.tif 000005
【図５】
0003757332.tif 000006
【図６】
0003757332.tif 000007
【図７】
0003757332.tif 000008
【図８】
0003757332.tif 000009